(57)【要約】【課題】本発明は、筐体の両面に配置されたタッチスクリーンディスプレイと、他の表示部とを備えた装置を提供することを目的とする。【解決手段】スマートフォン１は、フロントフェイス１Ａ側を向いて表示されたアイコンに対するジェスチャを検知可能なタッチスクリーンディスプレイ２１０と、フロントフェイス１Ａ側を向いて配置されるディスプレイ２Ａを有するタッチスクリーンディスプレイ２と、バックフェイス１Ｂ側を向いて表示されたアイコンに対するジェスチャを検知可能なタッチスクリーンディスプレイ２２０と、タッチスクリーンディスプレイ２１０又はタッチスクリーンディスプレイ２２０により所定のアイコンに対する所定のジェスチャが検知された場合、所定のアイコンに関連づけられた画面をタッチスクリーンディスプレイ２におけるディスプレイ２Ａに表示させるコントローラ１０と、を備える。【選択図】図１０
2014010487.tif 000002
【特許請求の範囲】
【請求項１】
第１面及び、第１方向において前記第１面と重なるように配置される第２面を有する筐体と、
前記第１面側を向いて配置され１又は複数のアイコンを表示可能である第１表示領域を有すると共に、前記第１表示領域に表示された前記１又は複数のアイコンに対するジェスチャを検知可能な第１タッチスクリーンディスプレイと、
前記第１面側を向いて配置され、前記第１表示領域とは異なる第２表示領域を有する第１表示部と、
前記第２面側を向いて配置され１又は複数のアイコンを表示可能である第３表示領域を有すると共に、前記第３表示領域に表示された前記１又は複数のアイコンに対するジェスチャを検知可能な第２タッチスクリーンディスプレイと、
前記第１タッチスクリーンディスプレイ又は第２タッチスクリーンディスプレイにより所定のアイコンに対する所定のジェスチャが検知された場合、前記所定のアイコンに関連づけられた画面を前記第１表示部における前記第２表示領域に表示させる制御部と、を備える
装置。
【請求項２】
第１面及び、第１方向において前記第１面と重なるように配置される第２面を有する筐体と、
前記第１面側を向いて配置され１又は複数のアイコンを表示可能である第１表示領域を有すると共に、前記第１表示領域に表示された前記１又は複数のアイコンに対するジェスチャを検知可能な第１タッチスクリーンディスプレイと、
前記第１面側を向いて配置され前記第１表示領域とは異なる第２表示領域を有する第１表示部と、
前記第２面側を向いて配置され１又は複数のアイコンを表示可能である第３表示領域を有すると共に、前記第３表示領域に表示された前記１又は複数のアイコンに対するジェスチャを検知可能な第２タッチスクリーンディスプレイと、
前記第２面側を向いて配置され前記第３表示領域とは異なる第４表示領域を有する第２表示部と、
前記第２タッチスクリーンディスプレイにより所定のアイコンに対する所定のジェスチャが検知された場合、前記所定のアイコンに関連づけられた画面を前記第２表示部における前記第４表示領域に表示させる制御部と、を備える
装置。
【請求項３】
前記制御部は、
前記第１タッチスクリーンディスプレイにより所定のアイコンに対する所定のジェスチャが検知された場合、前記所定のアイコンに関連づけられた画面を前記第１表示部における前記第２表示領域に表示させる
請求項２に記載の装置。
【請求項４】
前記制御部は、
前記第１表示部における前記第２表示領域には、前記所定のアイコンに関連づけられた画面のうち第１画面を表示させ、
前記第２表示部における前記第４表示領域には、前記所定のアイコンに関連づけられた画面のうち前記第１画面とは異なる第２画面を表示させる
請求項３に記載の装置。
【請求項５】
第１面及び、第１方向において前記第１面と重なるように配置される第２面を有する筐体と、
前記第１面側を向いて配置され１又は複数のアイコンを表示可能である第１表示領域を有すると共に、前記第１表示領域に表示された前記１又は複数のアイコンに対するジェスチャを検知可能な第１タッチスクリーンディスプレイと、
前記第１面側を向いて配置され前記第１表示領域とは異なる第２表示領域を有する第１表示部と、
前記第２面側を向いて配置され１又は複数のアイコンを表示可能である第３表示領域を有すると共に、前記第３表示領域に表示された前記１又は複数のアイコンに対するジェスチャを検知可能な第２タッチスクリーンディスプレイと、
前記第２面側を向いて配置され前記第３表示領域とは異なる第４表示領域を有する第２表示部と、
前記第１表示部又は前記第２表示部のいずれが垂直方向上側に位置しているかを検出するための検出部と、
前記検出部における検出結果に基づいて、前記第１表示部又は前記第２表示部のいずれが垂直方向上側に位置しているかを検出すると共に、
前記第１タッチスクリーンディスプレイ又は第２タッチスクリーンディスプレイにより所定のアイコンに対する所定のジェスチャが検知された場合、前記所定のアイコンに関連づけられた画面を、垂直方向上側に配置されていると検出した前記第１表示部における前記第２表示領域又は前記第２表示部における前記第４表示領域に表示させる制御部と、を備える
装置。
【請求項６】
前記制御部は、
前記第１表示部における前記第２表示領域には、前記所定のアイコンに関連づけられた画面のうち第１画面を表示させ、
前記第２表示部における前記第４表示領域には、前記所定のアイコンに関連づけられた画面のうち前記第１画面とは異なる第２画面を表示させる
請求項５に記載の装置。
【請求項７】
前記第１面及び前記第２面より視認可能に配置された透明表示部材と、を備え、
前記透明表示部材は、
前記第１タッチスクリーンディスプレイを構成する第１表示領域と、前記第２タッチスクリーンディスプレイを構成する第３表示領域と、を形成する
請求項１に記載の装置。
【請求項８】
前記第１面及び前記第２面より視認可能に配置された透明表示部材と、を備え、
前記透明表示部材は、
前記第１タッチスクリーンディスプレイを構成する第１表示領域と、前記第２タッチスクリーンディスプレイを構成する第３表示領域と、前記第２表示部を構成する第４表示領域とを形成する
請求項２から６のいずれかに記載の装置。
【請求項９】
前記第１表示部は、前記第２面側に配置される遮光部材を有し、
前記透明表示部材は、前記第４表示領域に対応する領域が前記第１方向において前記遮光部材と重なるように配置される
請求項８に記載の装置。
【請求項１０】
前記遮光部材は、前記透明表示部材における前記第４表示領域に対応する領域と前記第１方向において重なる領域が、所定の色の着色されている
請求項９に記載の装置。
【発明の詳細な説明】
【技術分野】
【０００１】
本発明は、透明表示部材を備える装置に関する。
【背景技術】
【０００２】
従来、タッチスクリーンディスプレイを備える携帯電話機等の装置が存在する。
そして、筐体の両面にタッチスクリーンディスプレイを有する携帯電話機が提案されている（例えば、特許文献１参照）。
しかし、特許文献１において、筐体の両面に配置されたタッチスクリーンディスプレイと、他の表示部とを備えた携帯電話機は開示されていない。
【０００３】
また、従来、ＬＣＤ（Ｌｉｑｕｉｄ  Ｃｒｙｓｔａｌ  Ｄｉｓｐｌａｙ）表示部材を有する携帯電話機等の装置が存在する。
近年、表示部材の開発が進むなか、表示部材として、バックライト等を有しない透明表示部材が上市されている。
そして、携帯電話機等の装置として、透明性表示部材を採用したタイプが存在する。
例えば、第１の表示部の上側に積層配置された透明性の第２の表示部（透明表示部材）を備える携帯電話機が提案されている（例えば、特許文献２参照）。
ここで、特許文献２の携帯電話機において、透明表示部材は、他の表示部に重ね合わせる等の利用はされているが、両面から視認可能な両面表示部として利用されていない。
【先行技術文献】
【特許文献】
【０００４】
【特許文献１】特開２００９−０７１７３５号公報
【特許文献２】特開２０１１−２５０１６５号公報
【発明の概要】
【発明が解決しようとする課題】
【０００５】
本発明は、複数のタッチスクリーンディスプレイを有し、利便性に優れた装置を提供することを目的とする。
【課題を解決するための手段】
【０００６】
本発明は、第１面及び、第１方向において前記第１面と重なるように配置される第２面を有する筐体と、前記第１面側を向いて配置され１又は複数のアイコンを表示可能である第１表示領域を有すると共に、前記第１表示領域に表示された前記１又は複数のアイコンに対するジェスチャを検知可能な第１タッチスクリーンディスプレイと、前記第１面側を向いて配置され前記第１表示領域とは異なる第２表示領域を有する第１表示部と、前記第２面側を向いて配置され１又は複数のアイコンを表示可能である第３表示領域を有すると共に、前記第３表示領域に表示された前記１又は複数のアイコンに対するジェスチャを検知可能な第２タッチスクリーンディスプレイと、前記第１タッチスクリーンディスプレイ又は第２タッチスクリーンディスプレイにより所定のアイコンに対する所定のジェスチャが検知された場合、前記所定のアイコンに関連づけられた画面を前記第１表示部における前記第２表示領域に表示させる制御部と、を備える装置に関する。
【０００７】
また、本発明は、第１面及び、第１方向において前記第１面に重なるように配置される第２面を有する筐体と、前記第１面側を向いてに配置され１又は複数のアイコンを表示可能である第１表示領域を有すると共に、前記第１表示領域に表示された前記１又は複数のアイコンに対するジェスチャを検知可能な第１タッチスクリーンディスプレイと、前記第１面側を向いて配置され前記第１表示領域とは異なる第２表示領域を有する第１表示部と、前記第２面側を向いて配置され１又は複数のアイコンを表示可能である第３表示領域を有すると共に、前記第３表示領域に表示された前記１又は複数のアイコンに対するジェスチャを検知可能な第２タッチスクリーンディスプレイと、前記第２面側を向いて配置され前記第３表示領域とは異なる第４表示領域を有する第２表示部と、前記第２タッチスクリーンディスプレイにより所定のアイコンに対する所定のジェスチャが検知された場合、前記所定のアイコンに関連づけられた画面を前記第２表示部における前記第４表示領域に表示させる制御部と、を備える装置に関する。
【０００８】
また、装置において、前記制御部は、前記第１タッチスクリーンディスプレイにより所定のアイコンに対する所定のジェスチャが検知された場合、前記所定のアイコンに関連づけられた画面を前記第１表示部における前記第２表示領域に表示させることが好ましい。
【０００９】
また、装置において、前記制御部は、前記第１表示部における前記第２表示領域には、前記所定のアイコンに関連づけられた画面のうち第１画面を表示させ、前記第２表示部における前記第４表示領域には、前記所定のアイコンに関連づけられた画面のうち前記第１画面とは異なる第２画面を表示させることが好ましい。
【００１０】
また、本発明は、第１面及び、第１方向において前記第１面と対向して配置される第２面を有する筐体と、前記第１面側を向いて配置され１又は複数のアイコンを表示可能である第１表示領域を有すると共に、前記第１表示領域に表示された前記１又は複数のアイコンに対するジェスチャを検知可能な第１タッチスクリーンディスプレイと、前記第１面側を向いて配置され前記第１表示領域とは異なる第２表示領域を有する第１表示部と、前記第２面側を向いて配置され１又は複数のアイコンを表示可能である第３表示領域を有すると共に、前記第３表示領域に表示された前記１又は複数のアイコンに対するジェスチャを検知可能な第２タッチスクリーンディスプレイと、前記第２面側を向いて配置され前記第３表示領域とは異なる第４表示領域を有する第２表示部と、前記第１表示部又は前記第２表示部のいずれが垂直方向上側に位置しているかを検出するための検出部と、前記検出部における検出結果に基づいて、前記第１表示部又は前記第２表示部のいずれが垂直方向上側に位置しているかを検出すると共に、前記第１タッチスクリーンディスプレイ又は第２タッチスクリーンディスプレイにより所定のアイコンに対する所定のジェスチャが検知された場合、前記所定のアイコンに関連づけられた画面を、垂直方向上側に配置されていると検出した前記第１表示部における前記第２表示領域又は前記第２表示部における前記第４表示領域に表示させる制御部と、を備える装置に関する。
【００１１】
また、装置において、前記制御部は、前記第１表示部における前記第２表示領域には、前記所定のアイコンに関連づけられた画面のうち第１画面を表示させ、前記第２表示部における前記第４表示領域には、前記所定のアイコンに関連づけられた画面のうち前記第１画面とは異なる第２画面を表示させることが好ましい。
【００１２】
また、装置は、前記第１面及び前記第２面より視認可能に配置された透明表示部材と、を備え、前記透明表示部材は、前記第１タッチスクリーンディスプレイを構成する第１表示領域と、前記第２タッチスクリーンディスプレイを構成する第３表示領域と、を形成することが好ましい。
【００１３】
また、装置は、前記第１面及び前記第２面より視認可能に配置された透明表示部材と、を備え、前記透明表示部材は、前記第１タッチスクリーンディスプレイを構成する第１表示領域と、前記第２タッチスクリーンディスプレイを構成する第３表示領域と、前記第２表示部を構成する第４表示領域とを形成することが好ましい。
【００１４】
また、装置は、前記第１表示部は、前記第２面側に配置される遮光部材を有し、前記透明表示部材は、前記第４表示領域に対応する領域が前記第１方向において前記遮光部材と重なるように配置されることが好ましい。
【００１５】
また、装置において、前記遮光部材は、前記透明表示部材における前記第４表示領域に対応する領域と前記第１方向において重なる領域が、所定の色の着色されていることが好ましい。
【発明の効果】
【００１６】
本発明によれば、複数のタッチスクリーンディスプレイを有し、利便性に優れた装置を提供することができる。
【図面の簡単な説明】
【００１７】
【図１】図１は、スマートフォンの外観を示す正面図である。
【図２】図２は、スマートフォンの外観を示す背面図である。
【図３】図３は、スマートフォンの外観を示す平面図である。
【図４】図４は、スマートフォンの外観を示す底面図である。
【図５】図５は、スマートフォンの外観を示す左側面図である。
【図６】図６は、スマートフォンの外観を示す右側面図である。
【図７】図７は、図１におけるＡ−Ａ断面図である。
【図８】図８は、透明表示部材に所定画面が表示された場合におけるスマートフォンのフロントフェイス側からみた表示態様を示す図である。
【図９】図９は、透明表示部材に所定画面が表示された場合におけるスマートフォンのバックフェイス側からみた表示態様を示す図である。
【図１０】図１０は、スマートフォンにおける機能ブロック図である。
【図１１】図１１は、スマートフォンにおける動作を説明するフロー図である。
【図１２】図１２は、タッチスクリーンディスプレイ２１０に電話のアイコンが表示された状態のスマートフォンの正面図である。
【図１３】図１３は、タッチスクリーンディスプレイ２に電話機能に関する第１画面が表示されたスマートフォンの正面図である。
【図１４】図１４は、スマートフォンにおける動作を説明するフロー図である。
【図１５】図１５は、タッチスクリーンディスプレイ２１０にメールのアイコンが表示された状態のスマートフォンの正面図である。
【図１６】図１６は、タッチスクリーンディスプレイ２にメール機能に関する第１画面が表示されたスマートフォンの正面図である。
【図１７】図１７は、スマートフォンにおける動作を説明するフロー図である。
【図１８】図１８は、フロントフェイス１Ａ側のタッチスクリーンディスプレイ２１０にロック機能のアイコンが表示された状態のスマートフォンの正面図である。
【図１９】図１９は、バックフェイス１Ｂ側のタッチスクリーンディスプレイ２２０にロック機能のアイコンが表示された状態のスマートフォンの正面図である。
【図２０】図２０は、タッチスクリーンディスプレイ２にロック機能に関する第１画面が表示されたスマートフォンの正面図である。
【図２１】図２１は、スマートフォンにおける動作を説明するフロー図である。
【図２２】図２２は、フロントフェイス１Ａ側のタッチスクリーンディスプレイ２１０にロック機能のアイコンが表示された状態のスマートフォンの正面図である。
【図２３】図２３は、フロントフェイス１Ａ側のタッチスクリーンディスプレイ２にロック機能に関する第１画面が表示されたスマートフォンの正面図である。
【図２４】図２４は、バックフェイス１Ｂ側のタッチスクリーンディスプレイ２２０にロック機能のアイコンが表示された状態のスマートフォンの正面図である。
【図２５】図２５は、バックフェイス１Ｂ側のタッチスクリーンディスプレイ２３０にロック機能に関する第２画面が表示されたスマートフォンの正面図である。
【図２６】図２６は、スマートフォンにおける動作を説明するフロー図である。
【発明を実施するための形態】
【００１８】
図１から図７により、実施形態に係るスマートフォン１の外観について説明する。図１は、スマートフォンの外観を示す正面図である。図２は、スマートフォンの外観を示す背面図である。図３は、スマートフォンの外観を示す平面図である。図４は、スマートフォンの外観を示す底面図である。図５は、スマートフォンの外観を示す左側面図である。図６は、スマートフォンの外観を示す右側面図である。図７は、図１におけるＡ−Ａ断面図である。
【００１９】
図１から図６に示すように、装置としてのスマートフォン１は、ケース部材であるハウジング２０を有する。ハウジング２０は、第１面であるフロントフェイス１Ａと、第２面であるバックフェイス１Ｂと、サイドフェイス１Ｃとを有する。フロントフェイス１Ａは、ハウジング２０の正面である。バックフェイス１Ｂは、ハウジング２０の背面である。サイドフェイス１Ｃは、フロントフェイス１Ａとバックフェイス１Ｂとを接続する側面である。
【００２０】
スマートフォン１は、第１表示部であるタッチスクリーンディスプレイ２と、第１タッチスクリーンディスプレイであるタッチスクリーンディスプレイ２１０と、照度センサ４と、近接センサ５と、レシーバ７と、カメラ１２とをフロントフェイス１Ａに有する。スマートフォン１は、第２タッチスクリーンディスプレイであるタッチスクリーンディスプレイ２２０と、第２表示部であるタッチスクリーンディスプレイ２３０と、カメラ１３と、フラッシュ１８とをバックフェイス１Ｂに有する。スマートフォン１は、マイク８をサイドフェイス１Ｃに有する。
【００２１】
ハウジング２０は、上述の通り、フロントフェイス１Ａと、第１方向Ｚにおいてフロントフェイス１Ａと重なるように配置されるバックフェイス１Ｂとを有する。フロントフェイス１Ａは、バックフェイス１Ｂと対をなす。
また、ハウジング２０は、第２方向ＹのＹ２側に配置される非透明部分２０Ａと、第２方向ＹのＹ１側に配置される透明部分２０Ｂとを有する。
また、ハウジング２０は、メイン表示用領域２０ａと、第１透明領域２０ｂとをフロントフェイス１Ａに有する。
また、ハウジング２０は、第１方向Ｚにおいて第１透明領域２０ｂと重なる第２透明領域２０ｃと、第１方向Ｚにおいて第１透明領域２０ｂと重ならない第３透明領域２０ｄとをバックフェイス１Ｂに有する。
【００２２】
メイン表示用領域２０ａは、タッチスクリーンディスプレイ２を構成するディスプレイ２Ａに対応する領域であって、ディスプレイ２Ａを外部に視認可能とする領域である。メイン表示用領域２０ａは、ハウジング２０の第２方向ＹにおけるＹ２側に配置される。メイン表示用領域２０ａは、ハウジング２０の非透明部分２０Ａに配置される。メイン表示用領域２０ａは、第２方向Ｙにおいて第１透明領域２０ｂと並んで配置される。
メイン表示用領域２０ａは、例えば、非透明部分２０Ａにおけるフロントフェイス１Ａ側に配置され、外表面がフロントフェイス１Ａの一部を構成するように配置された透明部材において、ディスプレイ２Ａに対応する領域である。
また、ハウジング２０の全体が透明である場合、メイン表示用領域２０ａは、フロントフェイス１Ａにおけるディスプレイ２Ａに対応する領域である。
【００２３】
第１透明領域２０ｂは、タッチスクリーンディスプレイ２１０を構成する第１透明表示部２００Ａに対応する領域であって、第１透明表示部２００Ａを外部に視認可能とする領域である。第１透明領域２０ｂは、表示領域２１０Ａに対応する領域であって、表示領域２１０Ａを外部に視認可能とする領域である。第１透明領域２０ｂは、ハウジング２０の第２方向ＹにおけるＹ１側に配置される。第１透明領域２０ｂは、ハウジング２０の透明部分２０Ｂに配置される。第１透明領域２０ｂは、第２方向Ｙにおいてメイン表示用領域２０ａと並んで配置される。第１透明領域２０ｂは、第１方向Ｚにおいて、第２透明領域２０ｃと重なるようにして配置される。第１透明領域２０ｂは、第１方向Ｚにおいて、第２透明領域２０ｃと対向して配置される。
【００２４】
第２透明領域２０ｃは、タッチスクリーンディスプレイ２２０を構成する第１透明表示部２００Ａに対応する領域であって、第１透明表示部２００Ａを外部に視認可能とする領域である。第２透明領域２０ｃは、表示領域２２０Ａに対応する領域であって、表示領域２２０Ａを外部に視認可能とする領域である。第２透明領域２０ｃは、ハウジング２０の第２方向ＹにおけるＹ１側に配置される。第２透明領域２０ｃは、ハウジング２０の透明部分２０Ｂに配置される。第２透明領域２０ｃは、第２方向Ｙにおいて第３透明領域２０ｄと並んで配置される。第２透明領域２０ｃは、第１方向Ｚにおいて、第１透明領域２０ｂと重なるようにして配置される。第２透明領域２０ｃは、第１方向Ｚにおいて、第１透明領域２０ｂと対向して配置される。
【００２５】
第３透明領域２０ｄは、タッチスクリーンディスプレイ２３０を構成する第２透明表示部２００Ｂに対応する領域であって、第２透明表示部２００Ｂを外部に視認可能とする領域である。第３透明領域２０ｄは、表示領域２３０Ａに対応する領域であって、表示領域２３０Ａを外部に視認可能とする領域である。第３透明領域２０ｄは、ハウジング２０の第２方向ＹにおけるＹ２側に配置される。第３透明領域２０ｄは、ハウジング２０の第２方向Ｙにおいて、第２透明領域２０ｃよりもＹ２側に配置される。第３透明領域２０ｄは、ハウジング２０の透明部分２０Ｂに配置される。第３透明領域２０ｄは、第２方向Ｙにおいて第２透明領域２０ｃと並んで配置される。第３透明領域２０ｄは、第１方向Ｚにおいて、第１透明領域２０ｂと重ならない。第３透明領域２０ｄは、第１方向Ｚにおいて、第１透明領域２０ｂと対向しない。
【００２６】
ここで、第２透明領域２０ｃと第３透明領域２０ｄとを足した領域の広さは、第１透明領域２０ｂの広さよりも広い。言い換えると、透明表示部により表示された画像を視認可能な領域は、フロントフェイス１Ａ側よりもバックフェイス１Ｂ側の方が広い。
【００２７】
第１表示部であるタッチスクリーンディスプレイ２は、第２表示領域であるディスプレイ２Ａと、タッチスクリーン２Ｂと、ディスプレイ２Ａを収容する遮光部材２Ｃと、を備える。
タッチスクリーンディスプレイ２は、フロントフェイス１Ａ側に配置される。タッチスクリーンディスプレイ２は、フロントフェイス１Ａ側を向いて配置され表示領域２２０Ａとは異なる表示領域を有する。
タッチスクリーンディスプレイ２は、ハウジング２０に収容される。タッチスクリーンディスプレイ２は、ディスプレイ２Ａがメイン表示用領域２０ａに対応するよう配置される。
【００２８】
ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等（表示画面、表示対象）を表示する。
【００２９】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００３０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００３１】
遮光部材２Ｃは、入光した光うち全部又は一部の光の透過を規制する部材である。遮光部材２Ｃは、例えば、光透過率が９０％以下、好ましくは８０％以下の部材である。遮光部材２Ｃは、例えば、金属製の板金部材、樹脂製の板部材、表面に塗料が塗布された部材等である。本実施形態において、遮光部材２Ｃは、板金部材である。
遮光部材２Ｃは、第１方向Ｚにおいて、ディスプレイ２Ａと反対側に配置される。
また、遮光部材２Ｃは、第１方向Ｚにおいて、透明表示部材２００と重なるように配置される（図７参照）。遮光部材２Ｃは、第１方向Ｚにおいて、第２透明表示部２００Ｂと重なるように配置される（図７参照）。
遮光部材２Ｃは、第１方向Ｚにおいて透明表示部材２００と重ならない非背面領域３０１と、第１方向Ｚにおいて透明表示部材２００と重なる背面領域３０２と、を備える。遮光部材２Ｃは、第１方向Ｚにおいて第２透明表示部２００Ｂと重ならない非背面領域３０１と、第１方向Ｚにおいて第２透明表示部２００Ｂと重なる背面領域３０２と、を備える。
ここで、後述する表示領域２３０Ａは、透明表示部材２００における第１方向Ｚにおいて背面領域３０２と重なる領域である。表示領域２３０Ａは、第１方向Ｚにおいて遮光部材２Ｃの背面領域３０２と重なると共に、背面領域３０２のバックフェイス１Ｂ側に配置される。このため、表示領域２３０Ａは、バックフェイス１Ｂ側から見た場合、表示領域２２０Ａに比べて表示対象５０の内容が視認しやすいようい構成される。
【００３２】
背面領域３０２は、透明表示部材２００における表示領域２３０Ａに対応する領域と第１方向Ｚにおいて重なる領域である。
背面領域３０２は、所定の色である。背面領域３０２は、所定の色で着色されている。
背面領域３０２は、後述する第２透明表示部２００Ｂをバックフェイス１Ｂ側からみた場合、表示対象が見やすいように所定色に着色されている。背面領域３０２は、後述するタッチスクリーンディスプレイ２３０をバックフェイス１Ｂ側からみた場合、表示対象が見やすいように所定色に着色されている。
背面領域３０２の色は、例えば、後述する第２透明表示部２００Ｂに表示される表示対象の色の反対色、反対色の類似色及びこれらの同系色である。背面領域３０２の色は、例えば、後述する第２透明表示部２００Ｂに表示される表示内容等の表示対象における文字の色の反対色、反対色の類似色及びこれらの同系色である。
背面領域３０２の色は、例えば、後述する第２透明表示部２００Ｂに表示される表示対象の色、例えば、文字の色が白色の場合、黒色である。
【００３３】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００３４】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００３５】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００３６】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００３７】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００３８】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３９】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００４０】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００４１】
ここで、タッチスクリーンディスプレイ２１０、タッチスクリーンディスプレイ２２０及びタッチスクリーンディスプレイ２３０は、表示部材として共通の透明表示部材２００を有して構成される。言い換えると、透明表示部材２００は、タッチスクリーンディスプレイ２１０、タッチスクリーンディスプレイ２２０及びタッチスクリーンディスプレイ２３０における表示部材である。
タッチスクリーンディスプレイ２１０、タッチスクリーンディスプレイ２２０及びタッチスクリーンディスプレイ２３０は、共通の透明表示部材２００における所定の領域を表示領域として構成される。
ここで、タッチスクリーンディスプレイ２１０、タッチスクリーンディスプレイ２２０及びタッチスクリーンディスプレイ２３０の詳細な説明の前に、透明表示部材２００について説明する。
【００４２】
透明表示部材２００は、透明性の表示部材である。透明表示部材２００は、両面から表示対象が視認可能に構成される。透明表示部材２００は、例えば、有機ＥＬパネル（Ｏｒｇａｎｉｃ  Ｅｌｅｃｔｒｏ−Ｌｕｍｉｎｅｓｃｅｎｃｅ  ｐａｎｅｌ）である。透明表示部材２００は、タッチスクリーンディスプレイ２１０を構成する表示領域２１０Ａと、タッチスクリーンディスプレイ２２０を構成する表示領域２２０Ａと、タッチスクリーンディスプレイ２３０を構成する表示領域２３０Ａとを形成する。
【００４３】
透明表示部材２００は、タッチスクリーンディスプレイ２におけるバックフェイス１Ｂ側に配置される。透明表示部材２００は、タッチスクリーンディスプレイ２における遮光部材２Ｃのバックフェイス１Ｂ側に配置される。
透明表示部材２００は、ハウジング２０の第２方向ＹにおけるＹ１側に配置される。
【００４４】
透明表示部材２００は、第１方向Ｚにおいて、一部が遮光部材２Ｃに重なるように配置される。透明表示部材２００は、表示領域２３０Ａに対応する領域が第１方向Ｚにおいて遮光部材２Ｃと重なるように配置される。
透明表示部材２００は、第１方向Ｚにおいて、遮光部材２Ｃにおける背面領域３０２に重ならないように配置される第１透明表示部２００Ａと、遮光部材２Ｃにおける背面領域３０２に重なるように配置される第２透明表示部２００Ｂと、を有する。
【００４５】
第１透明表示部２００Ａは、透明表示部材２００の長さ方向ＹにおけるＹ１側の領域である。
第１透明表示部２００Ａは、上述の通り、第１方向Ｚにおいて遮光部材２Ｃの背面領域３０２に重ならない。第１透明表示部２００Ａは、第１方向Ｚにおいて、ハウジング２０の第１透明領域２０ｂと、第２透明領域２０ｃとの間に配置される。本実施形態において、第１透明領域２０ｂと第２透明領域２０ｃとの間には、透明表示部材２００における第１透明表示部２００Ａのみが配置されている。
これにより、第１透明表示部２００Ａは、ハウジング２０におけるフロントフェイス１Ａ側及びバックフェイス１Ｂ側から視認可能に構成される。第１透明表示部２００Ａは、ハウジング２０におけるフロントフェイス１Ａ側及びバックフェイス１Ｂ側から表示対象が視認可能に構成される。
【００４６】
そして、第１透明表示部２００Ａは、タッチスクリーンディスプレイ２１０及びタッチスクリーンディスプレイ２２０における表示部材として機能する。
第１透明表示部２００Ａにおけるフロントフェイス１Ａ側の面は、タッチスクリーンディスプレイ２１０における表示領域２１０Ａとして機能する。また、第１透明表示部２００Ａにおけるバックフェイス１Ｂ側の面は、タッチスクリーンディスプレイ２２０における表示領域２２０Ａとして機能する。
【００４７】
第２透明表示部２００Ｂは、透明表示部材２００の長さ方向ＹにおけるＹ２側の領域である。
第２透明表示部２００Ｂは、上述の通り、第１方向Ｚにおいて遮光部材２Ｃの背面領域３０２に重なる。第２透明表示部２００Ｂは、第１方向Ｚにおいて、ハウジング２０の第３透明領域２０ｄと、遮光部材２Ｃにおける背面領域３０２との間に配置される。
これにより、第２透明表示部２００Ｂは、ハウジング２０におけるバックフェイス１Ｂ側から視認可能に構成される。第２透明表示部２００Ｂは、ハウジング２０におけるバックフェイス１Ｂ側から表示対象を視認可能に構成される。
【００４８】
そして、第２透明表示部２００Ｂは、タッチスクリーンディスプレイ２３０における表示部材として機能する。
第２透明表示部２００Ｂにおけるバックフェイス１Ｂ側の面は、タッチスクリーンディスプレイ２３０における表示領域２３０Ａとして機能する。
【００４９】
ここで、第２透明表示部２００Ｂは、第１方向Ｚにおいて遮光部材２Ｃの背面領域３０２に重なるように配置されるので、バックフェイス１Ｂ側からの視認性が向上される。言い換えると、タッチスクリーンディスプレイ２３０における表示領域２３０Ａの視認性が向上される。
【００５０】
また、上述の通り、透明表示部材２００は、フロントフェイス１Ａ側において、第１透明表示部２００Ａが視認可能であり、バックフェイス１Ｂ側において、第１透明表示部２００Ａと、第２透明表示部２００Ｂとが視認可能に構成される。
詳細には、スマートフォン１は、フロントフェイス１Ａ側において、第１透明表示部２００Ａにおける表示領域２１０Ａが視認可能に構成される。そして、スマートフォン１は、バックフェイス１Ｂ側において、第１透明表示部２００Ａにおける表示領域２２０Ａと、第２透明表示部２００Ｂにおける表示領域２３０Ａとが視認可能に構成される。
【００５１】
ここで、タッチスクリーンディスプレイ２１０、タッチスクリーンディスプレイ２２０及びタッチスクリーンディスプレイ２３０について説明する。
【００５２】
タッチスクリーンディスプレイ２１０は、フロントフェイス１Ａ側に配置される。タッチスクリーンディスプレイ２１０は、フロントフェイス１Ａ側を向いて配置され１又は複数のアイコンを表示可能である表示領域２１０Ａを有すると共に、表示領域２１０Ａに表示された１又は複数のアイコンに対するジェスチャを検知可能に構成される。
タッチスクリーンディスプレイ２１０は、ハウジング２０におけるフロントフェイス１Ａ側に配置される。タッチスクリーンディスプレイ２１０は、ハウジング２０におけるフロントフェイス１Ａ側の第２方向ＹにおけるＹ１側に配置される。タッチスクリーンディスプレイ２１０は、上述のタッチスクリーンディスプレイ２と第２方向Ｙに並んで配置される。
【００５３】
第１タッチスクリーンディスプレイであるタッチスクリーンディスプレイ２１０は、第１表示領域である表示領域２１０Ａと、タッチスクリーン２１０Ｂとを有する。
表示領域２１０Ａは、第１透明表示部２００Ａにおけるフロントフェイス１Ａ側の面である。上述の通り、第１透明表示部２００Ａは、透明表示部材２００の第２方向ＹにおけるＹ１側の部分である。
タッチスクリーン２１０Ｂは、タッチスクリーン２Ｂと同様の構成を採用できる。また、タッチスクリーン２１０Ｂは、タッチスクリーン２Ｂと同様のジェスチャを検出する。
【００５４】
タッチスクリーンディスプレイ２２０は、バックフェイス１Ｂ側に配置される。タッチスクリーンディスプレイ２２０は、バックフェイス１Ｂ側を向いて配置され１又は複数のアイコンを表示可能である表示領域２２０Ａを有すると共に、表示領域２２０Ａに表示された１又は複数のアイコンに対するジェスチャを検知可能に構成される。
タッチスクリーンディスプレイ２２０は、ハウジング２０におけるバックフェイス１Ｂ側に配置される。タッチスクリーンディスプレイ２２０は、ハウジング２０におけるバックフェイス１Ｂ側の第２方向ＹにおけるＹ１側に配置される。タッチスクリーンディスプレイ２１０は、タッチスクリーンディスプレイ２３０と第２方向Ｙに並んで配置される。
【００５５】
第２タッチスクリーンディスプレイであるタッチスクリーンディスプレイ２２０は、第３表示領域である表示領域２２０Ａと、タッチスクリーン２２０Ｂとを有する。
表示領域２２０Ａは、第１透明表示部２００Ａにおけるバックフェイス１Ｂ側の面である。上述の通り、第１透明表示部２００Ａは、透明表示部材２００の第２方向ＹにおけるＹ１側の部分である。
タッチスクリーン２２０Ｂは、タッチスクリーン２Ｂと同様の構成を採用できる。また、タッチスクリーン２２０Ｂは、タッチスクリーン２Ｂと同様のジェスチャを検出する。
【００５６】
タッチスクリーンディスプレイ２３０は、バックフェイス１Ｂ側に配置される。タッチスクリーンディスプレイ２３０は、バックフェイス１Ｂ側を向いて配置され表示領域２２０Ａとは異なる表示領域２３０Ａを有する。
タッチスクリーンディスプレイ２３０は、ハウジング２０におけるバックフェイス１Ｂ側に配置される。タッチスクリーンディスプレイ２３０は、ハウジング２０におけるバックフェイス１Ｂ側の第２方向ＹにおけるＹ２側に配置される。タッチスクリーンディスプレイ２３０は、タッチスクリーンディスプレイ２２０と第２方向Ｙに並んで配置される。
【００５７】
第２表示部であるタッチスクリーンディスプレイ２３０は、第４表示領域である表示領域２３０Ａと、タッチスクリーン２３０Ｂとを有する。
表示領域２３０Ａは、第２透明表示部２００Ｂにおけるバックフェイス１Ｂ側の面である。上述の通り、第２透明表示部２００Ｂは、透明表示部材２００の第２方向ＹにおけるＹ２側の部分である。
【００５８】
ここで、上述の通り、第２透明表示部２００Ｂは、第１方向Ｚにおいて遮光部材２Ｃにおける背面領域３０２と重なる領域である。
表示領域２３０Ａは、バックフェイス１Ｂ側からみて、背面領域３０２の手前側に重なって配置される。
そして、第２透明表示部２００Ｂは、表示対象の色を背面領域３０２における色の反対色、反対色の類似色及びこれらの同系色のいずれかにすることで、ユーザにおける視認性が向上される。
つまり、タッチスクリーンディスプレイ２３０は、タッチスクリーンディスプレイ２１０及びタッチスクリーンディスプレイ２２０よりも視認性が向上している。表示領域２３０Ａは、表示領域２１０Ａ及び表示領域２２０Ａよりも視認性が向上している。
【００５９】
例えば、タッチスクリーンディスプレイ２３０は、背面領域３０２が黒色である場合、第２透明表示部２００Ｂにおいて表示対象を白色で表示させる。
タッチスクリーンディスプレイ２３０は、表示対象における視認性が向上している。
【００６０】
また、タッチスクリーン２３０Ｂは、タッチスクリーン２Ｂと同様の構成を採用できる。また、タッチスクリーン２３０Ｂは、タッチスクリーン２Ｂと同様のジェスチャを検出する。
【００６１】
続けて、図７により、スマートフォン１の内部構造について説明する。
図７に示すように、スマートフォン１は、ハウジング２０の内部に、タッチスクリーンディスプレイ２を構成するディスプレイ２Ａ及び遮光部材２Ｃと、透明表示部材２００と、回路基板１００と、レシーバ７と、バッテリ９０と、カメラ１３と、フラッシュ１８とを備える。
【００６２】
上述の通り、タッチスクリーンディスプレイ２を構成するディスプレイ２Ａ及び遮光部材２Ｃは、第１方向Ｚにおけるフロントフェイス１Ａ側であって、第２方向ＹにおけるＹ２側に配置される。遮光部材２Ｃは、ディスプレイ２Ａに対して、第１方向Ｚにおけるバックフェイス１Ｂ側に配置される。
【００６３】
透明表示部材２００は、遮光部材２Ｃに対して、第１方向Ｚにおけるバックフェイス１Ｂ側に配置される。
透明表示部材２００は、第２方向ＹにおいてＹ１側に配置される。
上述の通り、透明表示部材２００は、第１透明表示部２００Ａが第１方向Ｚにおいて遮光部材２Ｃと重ならず、第２透明表示部２００Ｂが第１方向Ｚにおいて遮光部材２Ｃと重なるように配置される。
【００６４】
第１透明表示部２００Ａは、第１方向Ｚにおいて第１透明領域２０ｂと第２透明領域２０ｃとに挟まれて配置される。
第１透明表示部２００Ａは、フロントフェイス１Ａ側及びバックフェイス１Ｂ側から視認可能にハウジング２０に収容配置される。
第１透明表示部２００Ａにおけるフロントフェイス１Ａ側の面は、タッチスクリーンディスプレイ２１０における表示領域２１０Ａとして機能する。また、第１透明表示部２００Ａにおけるバックフェイス１Ｂ側の面は、タッチスクリーンディスプレイ２２０における表示領域２２０Ａとして機能する。
【００６５】
第２透明表示部２００Ｂは、第１方向Ｚにおいて遮光部材２Ｃにおける背面領域３０２と重なって配置される。
第２透明表示部２００Ｂは、バックフェイス１Ｂ側から視認可能にハウジング２０に収容配置される。
第２透明表示部２００Ｂにおけるバックフェイス１Ｂ側の面は、タッチスクリーンディスプレイ２３０における表示領域２３０Ａとして機能する。
【００６６】
ここで、バックフェイス１Ｂ側からみた場合、表示領域２２０Ａ及び表示領域２３０Ａが視認可能である。
本実施形態において、表示領域２２０Ａ及び表示領域２３０Ａは、連続している。
表示領域２２０Ａと表示領域２３０Ａとを足した領域の広さは、表示領域２１０Ａの広さよりも広い。言い換えると、言い換えると、透明表示部により表示された画像を視認可能な領域は、フロントフェイス１Ａ側よりもバックフェイス１Ｂ側の方が広い。
【００６７】
回路基板１００は、第１方向Ｚにおいて、タッチスクリーンディスプレイ２における遮光部材２Ｃ側にタッチスクリーンディスプレイ２と重なるように配置されると共に、第１方向Ｚに直交する第２方向Ｙにおいて、透明表示部材２００と並んで配置される。
回路基板１００は、第１方向Ｚにおいて遮光部材２Ｃにおけるバックフェイス１Ｂ側に配置される。回路基板１００は、第１方向Ｚにおいて非背面領域３０１と重なるように配置される。
回路基板１００は、透明表示部材２００の第２方向ＹにおけるＹ２側に配置される。回路基板１００は、第２方向Ｙにおいて透明表示部材２００と略同一平面上に並んで配置される。
【００６８】
レシーバ７は、第２方向ＹにおけるＹ２側の端部に配置される。
バッテリ９０、フラッシュ１８及びカメラ１３は、第１方向Ｚにおいて回路基板１００におけるバックフェイス１Ｂ側に配置される。
バッテリ９０、フラッシュ１８及びカメラ１３は、回路基板１００と電気的に接続される。
【００６９】
続けて、図８及び図９により、タッチスクリーンディスプレイ２、タッチスクリーンディスプレイ２１０、タッチスクリーンディスプレイ２２０及びタッチスクリーンディスプレイ２３０における表示態様について説明する。
図８は、透明表示部材に所定画面が表示された場合におけるスマートフォンのフロントフェイス側からみた表示態様を示す図である。図９は、透明表示部材に所定画面が表示された場合におけるスマートフォンのバックフェイス側からみた表示態様を示す図である。
【００７０】
まず、タッチスクリーンディスプレイ２におけるディスプレイ２Ａの表示態様について説明する。
ディスプレイ２Ａは、メインディスプレイとして機能する。以下、ディスプレイ２Ａに表示される画面の例について説明する。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００７１】
スマートフォン１は、ホーム画面にアイコンを配置することができる。ホーム画面には、複数のアイコンが配置されている。それぞれのアイコンは、スマートフォン１にインストールされているアプリケーションと予め対応付けられている。スマートフォン１は、アイコンに対するジェスチャを検出すると、そのアイコンに対応付けられているアプリケーションを実行する。例えば、スマートフォン１は、メールアプリケーションに対応付けられたアイコンに対するタップを検出すると、メールアプリケーションを実行する。ここで、スマートフォン１は、例えば、タッチスクリーンディスプレイ２に対するアイコンの表示位置又は表示領域へのジェスチャを、アイコンに対応付けられたアプリケーションの実行命令であると解釈する。
【００７２】
アイコンは、画像と文字列を含む。アイコンは、画像に代えて、記号又は図形を含んでもよい。アイコンは、画像又は文字列のいずれか一方を含まなくてもよい。アイコンは、所定の規則に従って配置される。アイコンの背後には、壁紙が表示される。壁紙は、フォトスクリーン又はバックスクリーンと呼ばれることもある。スマートフォン１は、任意の画像を壁紙として用いることができる。画像は、例えば、利用者の設定に従って任意の画像が壁紙として決定される。
【００７３】
スマートフォン１は、ホーム画面の数を増減することができる。スマートフォンは、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００７４】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００７５】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００７６】
続けて、タッチスクリーンディスプレイ２１０における表示領域２１０Ａ（第１透明表示部２００Ａ）の表示態様について説明する。
表示領域２１０Ａは、上述のディスプレイ２Ａにおいて表示可能なアイコン等を表示可能に構成される。ここで、表示領域２１０Ａは、ディスプレイ２Ａに比べてアイコン等を表示する領域が狭いので、アイコン等の大きさ及び形状を変更して表示してもよい。
図８に示すように、表示領域２１０Ａは、所定のアイコン及び情報を表示可能に構成される。第１透明表示部２００Ａは、表示対象５０を表示可能に構成される。
【００７７】
続けて、タッチスクリーンディスプレイ２２０における表示領域２２０Ａ（第１透明表示部２００Ａ）の表示態様について説明する。
表示領域２２０Ａは、上述のディスプレイ２Ａにおいて表示可能なアイコン等を表示可能に構成される。ここで、表示領域２２０Ａは、ディスプレイ２Ａに比べてアイコン等を表示する領域が狭いので、アイコン等の大きさ及び形状を変更して表示してもよい。
図９に示すように、表示領域２２０Ａは、所定のアイコン及び情報を表示可能に構成される。第１透明表示部２００Ａは、表示対象５０を表示可能に構成される。
【００７８】
ここで、表示領域２２０Ａに表示される所定のアイコン及び情報は、表示領域２１０Ａ（図８参照）に表示される所定のアイコン及び情報と左右反転した態様で表示される。
表示領域２１０Ａ及び表示領域２２０Ａに表示される表示対象５０は同じものであるが、表示領域２１０Ａに表示される表示対象５０はフロントフェイス１Ａ側からの表示態様であり、表示領域２２０Ａに表示される表示対象５０はバックフェイス１Ｂ側からの表示態様である。
このため、表示領域２１０Ａ及び表示領域２２０Ａに表示される表示対象５０は、互いに左右反転した表示態様となっている。
【００７９】
また、ここで、表示領域２１０Ａ及び表示領域２２０Ａを形成する第１透明表示部２００Ａは、透明性の表示部材であると共に、フロントフェイス１Ａ及びバックフェイス１Ｂの双方から視認可能に構成される。このため、表示領域２１０Ａ及び表示領域２２０Ａにおいて、表示対象５０の内容が視認しにくい場合がある。
そのため、表示領域２１０Ａ及び表示領域２２０Ａにおける表示対象５０は、高精細な画像等ではなく、文字及び簡易な画像だけであってもよい。第１透明表示部２００Ａにおける表示対象５０は、高精細な画像等ではなく、文字及び簡易な画像であるアイコン等であってもよい。
【００８０】
続けて、タッチスクリーンディスプレイ２３０における表示領域２３０Ａの表示態様について説明する。
表示領域２３０Ａは、上述のディスプレイ２Ａにおいて表示可能なアイコン等を表示可能に構成される。ここで、表示領域２３０Ａは、ディスプレイ２Ａに比べてアイコン等を表示する領域が狭いので、アイコン等の大きさ及び形状を変更して表示してもよい。
【００８１】
表示領域２３０Ａは、所定のアイコン及び情報を表示可能に構成される。第２透明表示部２００Ｂは、表示対象５０を表示可能に構成される。
ここで、表示領域２３０Ａは、透明表示部材２００における第１方向Ｚにおいて背面領域３０２と重なる領域である。第２透明表示部２００Ｂは、透明表示部材２００における第１方向Ｚにおいて背面領域３０２と重なる領域である。
表示領域２３０Ａは、第１方向Ｚにおいて遮光部材である遮光部材２Ｃの背面領域３０２と重なると共に、背面領域３０２のバックフェイス１Ｂ側に配置される。
このため、表示領域２３０Ａは、バックフェイス１Ｂ側から見た場合、表示領域２２０Ａに比べて表示対象５０の内容が視認しやすいようい構成される。
【００８２】
表示領域２３０Ａは、例えば、背面領域３０２の色と反対色、反対色の類似色及びこれらの同系色のいずれかで表示対象５０を表示できる。この場合、表示領域２３０Ａに表示された表示対象５０は、表示領域２２０Ａに表示された表示対象に比べて大幅に視認しやすい。
そのため、表示領域２３０Ａは、例えば、高精細な画像を表示するよう構成されてもよい。
【００８３】
上述より、スマートフォン１は、バックフェイス１Ｂ側の表示について、タッチスクリーンディスプレイ２２０における表示領域２２０Ａに文字及び高精細ではない画像（アイコン等）を表示させ、タッチスクリーンディスプレイ２３０における表示領域２３０Ａに高精細な画像（写真、地図等）を表示させるように構成されてもよい。スマートフォン１は、バックフェイス１Ｂ側の表示について、タッチスクリーンディスプレイ２２０における表示領域２２０Ａに文字及びアイコン等を表示させ、タッチスクリーンディスプレイ２３０における表示領域２３０Ａに写真、地図等を表示させるように構成されてもよい。
【００８４】
例えば、スマートフォン１は、メールの内容を表示する場合、表示領域２２０Ａに文字列を表示させ、表示領域２３０Ａに添付画像を表示させることができる（図１１参照）。後述のコントローラ１０は、メールの内容を表示する場合、表示領域２２０Ａに文字列を表示させ、表示領域２３０Ａに添付画像を表示させることができる（図１１参照）。
また、例えば、スマートフォン１は、Ｗｅｂサイトから受信した情報を表示する場合、表示領域２２０Ａに文字列を表示させ、表示領域２３０Ａに画像を表示させることができる（図１３参照）。コントローラ１０は、Ｗｅｂサイトから受信した情報を表示する場合、表示領域２２０Ａに文字列を表示させ、表示領域２３０Ａに画像を表示させることができる（図１３参照）。
【００８５】
また、例えば、スマートフォン１は、カメラ１３により取得する撮像画像データに基づく画像を表示する場合、表示領域２２０Ａに操作用アイコンを表示させ、表示領域２３０Ａに撮像画像データに基づく画像を表示させることができる（図１４参照）。コントローラ１０は、カメラ１３により取得する撮像画像データに基づく画像を表示する場合、表示領域２２０Ａに操作用アイコンを表示させ、表示領域２３０Ａに撮像画像データに基づく画像を表示させることができる（図１４参照）。
【００８６】
図１０により、スマートフォン１の機能構成について説明する。また、併せて、図１１から図１４により、スマートフォン１における表示態様について説明する。
図１０は、スマートフォンにおける機能ブロック図である。図１１は、スマートフォンの第１透明表示部及び第２透明表示部における表示態様の一例を説明する図である。図１２は、スマートフォンの第１透明表示部及び第２透明表示部における表示態様の一例を説明する図である。図１３は、スマートフォンの第１透明表示部及び第２透明表示部における表示態様の一例を説明する図である。図１４は、スマートフォンの第１透明表示部及び第２透明表示部における表示態様の一例を説明する図である。
【００８７】
スマートフォン１は、タッチスクリーンディスプレイ２と、タッチスクリーンディスプレイ２１０と、タッチスクリーンディスプレイ２２０と、タッチスクリーンディスプレイ２３０と、照度センサ４と、近接センサ５と、通信ユニット６と、レシーバ７と、マイク８と、ストレージ９と、コントローラ１０と、カメラ１２及び１３と、加速度センサ１５と、方位センサ１６と、回転検出センサ１７とを有する。
【００８８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００８９】
タッチスクリーンディスプレイ２１０は、上述したように、表示領域２１０Ａと、タッチスクリーン２１０Ｂとを有する。タッチスクリーンディスプレイ２１０は、上述したように、第１透明表示部２００Ａと、タッチスクリーン２１０Ｂとを有する。
表示領域２１０Ａは、文字、画像、記号、又は図形等を表示する。第１透明表示部２００Ａは、文字、画像、記号、又は図形等を表示する。タッチスクリーン２１０Ｂは、ジェスチャを検出する。
【００９０】
タッチスクリーンディスプレイ２２０は、上述したように、表示領域２２０Ａと、タッチスクリーン２２０Ｂとを有する。タッチスクリーンディスプレイ２２０は、上述したように、第１透明表示部２００Ａと、タッチスクリーン２２０Ｂとを有する。
表示領域２２０Ａは、文字、画像、記号、又は図形等を表示する。第１透明表示部２００Ａは、文字、画像、記号、又は図形等を表示する。
タッチスクリーン２２０Ｂは、ジェスチャを検出する。
ここで、表示領域２２０Ａは、文字情報、及び表示領域２３０Ａに比べて低精細な画像を表示するように設定されてもよい。第１透明表示部２００Ａは、文字情報、及び第２透明表示部２００Ｂに比べて低精細な画像を表示するように設定されてもよい。
【００９１】
タッチスクリーンディスプレイ２３０は、上述したように、表示領域２３０Ａと、タッチスクリーン２３０Ｂとを有する。タッチスクリーンディスプレイ２３０は、上述したように、第２透明表示部２００Ｂと、タッチスクリーン２３０Ｂとを有する。
表示領域２３０Ａは、文字、画像、記号、又は図形等を表示する。第２透明表示部２００Ｂは、文字、画像、記号、又は図形等を表示する。
タッチスクリーン２３０Ｂは、ジェスチャを検出する。
ここで、表示領域２３０Ａは、表示領域２２０Ａに比べて高精細な画像を表示するように設定されてもよい。第２透明表示部２００Ｂは、第１透明表示部２００Ａに比べて高精細な画像を表示するように設定されてもよい。
【００９２】
また、表示領域２１０Ａ、表示領域２２０Ａ及び表示領域２３０Ａは、共通の透明表示部材２００により構成される。そのため、後述するコントローラ１０は、表示領域２１０Ａ、表示領域２２０Ａ及び表示領域２３０Ａのいずれの表示対象の内容を制御する場合でも、透明表示部材２００に対して制御信号を出力するよう構成される。例えば、コントローラ１０は、表示領域２１０Ａ、表示領域２２０Ａ及び表示領域２３０Ａのいずれの表示対象の色を制御する場合でも、透明表示部材２００に対して制御信号を出力するよう構成される。
【００９３】
照度センサ４は、照度を検出する。例えば、照度とは、光の強さ、明るさ、輝度等である。照度センサ４は、例えば、ディスプレイ２Ａの輝度の調整に用いられる。
【００９４】
近接センサ５は、近隣の物体の存在を非接触で検出する。近接センサ５は、例えば、タッチスクリーンディスプレイ２が顔に近付けられたことを検出する。
【００９５】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００９６】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカを更に有してもよい。スマートフォン１は、レシーバ７に代えて、スピーカを更に有してもよい。
【００９７】
カメラ１２は、フロントフェイス１Ａに面している物体を撮影するインカメラである。カメラ１３は、バックフェイス１Ｂに面している物体を撮影するアウトカメラである。
【００９８】
フラッシュ１８は、バックフェイス１Ｂ側に配置される。フラッシュ１８は、カメラ１３において被写体を撮影する際に被写体に光を照射するための発光部である。
【００９９】
加速度センサ１５は、スマートフォン１に働く加速度の方向及び大きさを検出する。方位センサ１６は、地磁気の向きを検出する。
回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
また、加速度センサ１５、方位センサ１６及び回転検出センサ１７の検出結果は、垂直方向上側に配置された面がフロントフェイス１Ａ側のタッチスクリーンディスプレイ２であるか、バックフェイス１Ｂ側のタッチスクリーンディスプレイ２３０であるかを検出するために、組み合わせて利用される。
加速度センサ１５、方位センサ１６及び回転検出センサ１７は、タッチスクリーンディスプレイ２又はタッチスクリーンディスプレイ２３０のいずれが垂直方向上側に位置しているかを検出するための検出部として機能する。
【０１００】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【０１０１】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【０１０２】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【０１０３】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【０１０４】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【０１０５】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、タッチスクリーン２１０Ｂ、タッチスクリーン２２０Ｂ、タッチスクリーン２３０Ｂ、加速度センサ１５等の各種検出部の検出結果に応じて、制御を変更することもある。
【０１０６】
コントローラ１０は、例えば、制御プログラム９Ａを実行することにより、タッチスクリーン２Ｂ、タッチスクリーン２１０Ｂ、タッチスクリーン２２０Ｂ及びタッチスクリーン２３０Ｂを介して検出されたジェスチャに応じて、ディスプレイ２Ａ、表示領域２１０Ａ、表示領域２２０Ａ及び表示領域２３０Ａに表示されている情報を変更する等の各種制御を実行する。
【０１０７】
制御部であるコントローラ１０は、透明表示部材２００に表示される表示対象５０の色を変更可能である。
コントローラ１０は、透明表示部材２００に表示される表示対象５０の全部又は一部の色を変更可能である。コントローラ１０は、第１透明表示部２００Ａ及び第２透明表示部２００Ｂに表示される表示対象５０の全部又は一部の色を変更可能である。
コントローラ１０は、透明表示部材２００における第１透明表示部２００Ａに表示される表示対象の色と、第２透明表示部２００Ｂに表示される表示対象５０の色とを個別に変更可能に構成される。
コントローラ１０は、第２透明表示部２００Ｂにおける表示対象の色を、遮光部材２Ｃにおける背面領域３０２の色に応じて制御可能に構成される。コントローラ１０は、表示領域２３０Ａにおける表示対象の色を、遮光部材２Ｃにおける背面領域３０２の色に応じて制御可能に構成される。
【０１０８】
また、コントローラ１０は、タッチスクリーンディスプレイ２１０又はタッチスクリーンディスプレイ２２０により所定のアイコン３０に対する所定のジェスチャが検知された場合、所定のアイコン３０に関連づけられた画面をタッチスクリーンディスプレイ２におけるディスプレイ２Ａに表示させるよう構成されてもよい（第１態様）。
詳細には、コントローラ１０は、タッチスクリーンディスプレイ２１０において表示領域２１０Ａに表示されたアイコン３０に対するフリックが検出された場合、タッチスクリーンディスプレイ２におけるディスプレイ２Ａに、アイコン３０により示される機能に関連する所定の画面を表示させる。コントローラ１０は、タッチスクリーンディスプレイ２１０において表示領域２１０Ａに表示されたアイコン３０に対するジェスチャであってタッチスクリーンディスプレイ２に向かうようなフリックが検出された場合、タッチスクリーンディスプレイ２におけるディスプレイ２Ａに、アイコン３０により示される機能又はアプリケーションに関連する第１画面を表示させる。
また、詳細には、コントローラ１０は、タッチスクリーンディスプレイ２２０において表示領域２２０Ａに表示されたアイコン３０に対するフリックが検出された場合、タッチスクリーンディスプレイ２におけるディスプレイ２Ａに、アイコン３０により示される機能に関連する所定の画面を表示させる。言い換えると、コントローラ１０は、タッチスクリーンディスプレイ２２０において表示領域２２０Ａに表示されたアイコン３０に対するジェスチャであってタッチスクリーンディスプレイ２３０向かうようなフリック、言い換えるとタッチスクリーンディスプレイ２の裏側に向かうようなフリックが検出された場合、タッチスクリーンディスプレイ２におけるディスプレイ２Ａに、アイコン３０により示される機能又はアプリケーションに関連する第１画面を表示させる。
【０１０９】
第１態様において、コントローラ１０は、フロントフェイス１Ａ側のタッチスクリーンディスプレイ２１０又はバックフェイス１Ｂ側のタッチスクリーンディスプレイ２２０のいずれがアイコン３０に対する所定のジェスチャを検知しても、フロントフェイス１Ａ側のタッチスクリーンディスプレイ２にアイコン３０に関連づけられた画面を表示させる。
【０１１０】
また、コントローラ１０は、タッチスクリーンディスプレイ２２０により所定のアイコン３０に対する所定のジェスチャが検知された場合、所定のアイコン３０に関連づけられた画面をタッチスクリーンディスプレイ２３０における表示領域２３０Ａに表示させるよう構成されてもよい（第２態様）。
また、この場合において、コントローラ１０は、タッチスクリーンディスプレイ２１０により所定のアイコン３０に対する所定のジェスチャが検知された場合、所定のアイコン３０に関連づけられた画面をタッチスクリーンディスプレイ２におけるディスプレイ２Ａに表示させるよう構成されてもよい。
また、この場合において、コントローラ１０は、タッチスクリーンディスプレイ２におけるディスプレイ２Ａには、所定のアイコン３０に関連づけられた画面のうち第１画面を表示させ、タッチスクリーンディスプレイ２３０における表示領域２３０Ａには、所定のアイコン３０に関連づけられた画面のうち第１画面とは異なる第２画面を表示させるよう構成されてもよい。
【０１１１】
詳細には、コントローラ１０は、タッチスクリーンディスプレイ２２０において表示領域２２０Ａに表示されたアイコン３０に対するフリックが検出された場合、タッチスクリーンディスプレイ２３０における表示領域２３０Ａに、アイコン３０により示される機能に関連する画面であって第１画面とは異なる第２画面を表示させる。コントローラ１０は、タッチスクリーンディスプレイ２２０において表示領域２２０Ａに表示されたアイコン３０に対するジェスチャであってタッチスクリーンディスプレイ２３０に向かうようなフリックが検出された場合、タッチスクリーンディスプレイ２３０における表示領域２３０Ａに、アイコン３０により示される機能又はアプリケーションに関連する画面であって第１画面とは異なる第２画面を表示させる。
また、詳細には、コントローラ１０は、タッチスクリーンディスプレイ２１０において表示領域２１０Ａに表示されたアイコン３０に対するフリックが検出された場合、タッチスクリーンディスプレイ２におけるディスプレイ２Ａに、アイコン３０により示される機能に関連する第１画面を表示させる。コントローラ１０は、タッチスクリーンディスプレイ２１０において表示領域２１０Ａに表示されたアイコン３０に対するジェスチャであってタッチスクリーンディスプレイ２に向かうようなフリックが検出された場合、タッチスクリーンディスプレイ２におけるディスプレイ２Ａに、アイコン３０により示される機能又はアプリケーションに関連する第１画面を表示させる。
【０１１２】
第２態様において、コントローラ１０は、バックフェイス１Ｂ側のタッチスクリーンディスプレイ２２０がアイコン３０に対する所定のジェスチャを検知した場合、バックフェイス１Ｂ側のタッチスクリーンディスプレイ２３０にアイコン３０に関連づけられた第２画面を表示させる。
また、コントローラ１０は、フロントフェイス１Ａ側のタッチスクリーンディスプレイ２１０がアイコン３０に対する所定のジェスチャを検知した場合、フロントフェイス１Ａ側のタッチスクリーンディスプレイ２にアイコン３０に関連づけられた第１画面を表示させる。
ここで、第２画面は、例えば、第１画面と同様の内容であるが、表示領域の広さに応じて変形させた画面等である。例えば、第２画面は、第１画面の相似画面、第１画面の配列を変更した画面、第１画面を簡素化した画面等を例示できる。
【０１１３】
また、コントローラ１０は、加速度センサ１５、方位センサ１６及び回転検出センサ１７（検出部）における検出結果に基づいて、フロントフェイス１Ａ側のタッチスクリーンディスプレイ２又はバックフェイス１Ｂ側のタッチスクリーンディスプレイ２３０のいずれが垂直方向上側に位置しているかを検出する。
そして、コントローラ１０は、タッチスクリーンディスプレイ２１０又はタッチスクリーンディスプレイ２２０により所定のアイコン３０に対する所定のジェスチャが検知された場合、所定のアイコン３０に関連づけられた画面を、垂直方向上側に配置されていると検出したタッチスクリーンディスプレイ２におけるディスプレイ２Ａ又はタッチスクリーンディスプレイ２３０における表示領域２３０Ａに表示させる（第３態様）。
また、コントローラ１０は、タッチスクリーンディスプレイ２におけるディスプレイ２Ａには、所定のアイコン３０に関連づけられた画面のうち第１画面を表示させ、タッチスクリーンディスプレイ２３０における表示領域２３０Ａには、所定のアイコン３０に関連づけられた画面のうち第１画面とは異なる第２画面を表示させるよう構成されてもよい。
【０１１４】
詳細には、コントローラ１０は、タッチスクリーンディスプレイ２１０又はタッチスクリーンディスプレイ２２０において表示領域２１０Ａ、２２０Ａに表示されたアイコン３０に対するフリックが検出された場合、垂直方向上側にタッチスクリーンディスプレイ２が配置されていると検知すると、タッチスクリーンディスプレイ２のディスプレイ２Ａに、アイコン３０により示される機能又はアプリケーションに関連する画面のうち第１画面を表示させる。
また、詳細には、コントローラ１０は、タッチスクリーンディスプレイ２１０又はタッチスクリーンディスプレイ２２０において表示領域２１０Ａ、２２０Ａに表示されたアイコン３０に対するフリックが検出された場合、垂直方向上側にタッチスクリーンディスプレイ２３０が配置されていると検知すると、タッチスクリーンディスプレイ２３０の表示領域２３０Ａに、アイコン３０により示される機能又はアプリケーションに関連する画面のうち第１画面とは異なる第２画面を表示させる。
【０１１５】
第３態様において、コントローラ１０は、フロントフェイス１Ａ側のタッチスクリーンディスプレイ２１０又はバックフェイス１Ｂ側のタッチスクリーンディスプレイ２２０のいずれがアイコン３０に対する所定のジェスチャを検知しても、垂直方向上側に配置されていると検出した表示部における表示領域に、アイコン３０に関連づけられた画面を表示させる。
【０１１６】
続けて、図１１から２６により、スマートフォン１における動作について説明する。
まず、図１１から図１３により、着信状態においてユーザが所定のジェスチャをした場合におけるスマートフォン１の動作について説明する。
図１１は、スマートフォンにおける動作を説明するフロー図である。図１２は、タッチスクリーンディスプレイ２１０に電話のアイコンが表示された状態のスマートフォンの正面図である。図１３は、タッチスクリーンディスプレイ２に電話機能に関する第１画面が表示されたスマートフォンの正面図である。
【０１１７】
図１１に示すように、まず、ステップＳＴ１０１において、スマートフォン１は、電話信号（着呼）の着信を受ける。
【０１１８】
続けて、ステップＳＴ１０２において、コントローラ１０は、タッチスクリーンディスプレイ２１０に電話のアイコン３０を表示させる（図１２参照）。
これに対して、ユーザは、電話のアイコン３０上に指を置き、矢印に沿って指を動かす。
【０１１９】
続けて、ステップＳＴ１０３において、コントローラ１０は、タッチスクリーンディスプレイ２１０により電話のアイコン３０に対するフリックを検知する。
【０１２０】
続けて、ステップＳＴ１０４において、コントローラ１０は、タッチスクリーンディスプレイ２に電話のアイコン３０に関連づけられた第１画面を表示させる（図１３参照）。第１画面は、着信相手の氏名、電話番号及び電話番号に関連づけられた画像を含む画面である。
そして、コントローラ１０は、処理を終了する。
【０１２１】
続けて、図１４から図１６により、メールを受信した状態においてユーザが所定のジェスチャをした場合におけるスマートフォン１の動作について説明する。
図１４は、スマートフォンにおける動作を説明するフロー図である。図１５は、タッチスクリーンディスプレイ２１０にメールのアイコンが表示された状態のスマートフォンの正面図である。図１６は、タッチスクリーンディスプレイ２にメール機能に関する第１画面が表示されたスマートフォンの正面図である。
【０１２２】
図１４に示すように、まず、ステップＳＴ２０１において、スマートフォン１は、メールを受信する。
【０１２３】
続けて、ステップＳＴ２０２において、コントローラ１０は、タッチスクリーンディスプレイ２１０にメールのアイコン３０を表示させる（図１５参照）。
これに対して、ユーザは、メールのアイコン３０上に指を置き、矢印に沿って指を動かす。
【０１２４】
続けて、ステップＳＴ２０３において、コントローラ１０は、タッチスクリーンディスプレイ２１０によりメールのアイコン３０に対するフリックを検知する。
【０１２５】
続けて、ステップＳＴ２０４において、コントローラ１０は、タッチスクリーンディスプレイ２にメールのアイコン３０に関連づけられた第１画面を表示させる（図１６参照）。第１画面は、送信先及び送信元の氏名、メッセージ内容、及び送信元アドレスに関連づけられた画像を含む画面である。
そして、コントローラ１０は、処理を終了する。
【０１２６】
続けて、図１７から図２０により、ロック機能によりロックされた状態においてユーザが所定のジェスチャをした場合におけるスマートフォン１の動作について説明する。
図１７は、スマートフォンにおける動作を説明するフロー図である。図１８は、フロントフェイス１Ａ側のタッチスクリーンディスプレイ２１０にロック機能のアイコンが表示された状態のスマートフォンの正面図である。図１９は、バックフェイス１Ｂ側のタッチスクリーンディスプレイ２２０にロック機能のアイコンが表示された状態のスマートフォンの正面図である。図２０は、タッチスクリーンディスプレイ２にロック機能に関する第１画面が表示されたスマートフォンの正面図である。
【０１２７】
図１７に示すように、まず、ステップＳＴ３０１において、スマートフォン１は、ロック機能によりロックされた状態である。
【０１２８】
ステップＳＴ３０２において、コントローラ１０は、タッチスクリーンディスプレイ２１０及びタッチスクリーンディスプレイ２２０にロック機能のアイコン３０を表示させる（図１８及び図１９参照）。
具体的には、コントローラ１０は、第１透明表示部２００Ａにロック機能のアイコン３０を表示させる。
これに対して、ユーザは、フロントフェイス１Ａ側のタッチスクリーンディスプレイ２１０、又は、バックフェイス１Ｂ側のタッチスクリーンディスプレイ２２０において、ロック機能のアイコン３０上に指を置き、矢印に沿って指を動かす。
【０１２９】
続けて、ステップＳＴ３０３において、コントローラ１０は、タッチスクリーンディスプレイ２１０又はタッチスクリーンディスプレイ２２０によりロック機能のアイコン３０に対するフリックを検知する。
【０１３０】
続けて、ステップＳＴ３０４において、コントローラ１０は、タッチスクリーンディスプレイ２１０によりフリックを検知した場合でも、タッチスクリーンディスプレイ２２０によりフリックを検知した場合でも、タッチスクリーンディスプレイ２にロック機能のアイコン３０に関連づけられた第１画面を表示させる（図２０参照）。第１画面は、数字又は文字のブロックが、縦４ブロック×横３ブロックで配置されたロック解除の画面である。
そして、コントローラ１０は、処理を終了する。
【０１３１】
続けて、図２１から図２５により、ロック機能によりロックされた状態においてユーザが所定のジェスチャをした場合におけるスマートフォン１の他の態様の動作について説明する。
図２１は、スマートフォンにおける動作を説明するフロー図である。図２２は、フロントフェイス１Ａ側のタッチスクリーンディスプレイ２１０にロック機能のアイコンが表示された状態のスマートフォンの正面図である。図２３は、フロントフェイス１Ａ側のタッチスクリーンディスプレイ２にロック機能に関する第１画面が表示されたスマートフォンの正面図である。図２４は、バックフェイス１Ｂ側のタッチスクリーンディスプレイ２２０にロック機能のアイコンが表示された状態のスマートフォンの正面図である。図２５は、バックフェイス１Ｂ側のタッチスクリーンディスプレイ２３０にロック機能に関する第２画面が表示されたスマートフォンの正面図である。
【０１３２】
図２１に示すように、まず、ステップＳＴ４０１において、スマートフォン１は、ロック機能によりロックされた状態である。
【０１３３】
ステップＳＴ４０２において、コントローラ１０は、タッチスクリーンディスプレイ２１０及びタッチスクリーンディスプレイ２２０にロック機能のアイコン３０を表示させる（図２２及び図２４参照）。
具体的には、コントローラ１０は、第１透明表示部２００Ａにロック機能のアイコン３０を表示させる。
これに対して、ユーザは、フロントフェイス１Ａ側のタッチスクリーンディスプレイ２１０、又は、バックフェイス１Ｂ側のタッチスクリーンディスプレイ２２０において、ロック機能のアイコン３０上に指を置き、矢印に沿って指を動かす。
【０１３４】
続けて、ステップＳＴ４０３において、コントローラ１０は、タッチスクリーンディスプレイ２１０又はタッチスクリーンディスプレイ２２０によりロック機能のアイコン３０に対するフリックを検知する。
コントローラ１０は、タッチスクリーンディスプレイ２１０によりフリックを検知した場合（ステップＳＴ４０３、Ａ）、処理をステップＳＴ４０４に進める。
また、コントローラ１０は、タッチスクリーンディスプレイ２２０によりフリックを検知した場合（ステップＳＴ４０３、Ｂ）、処理をステップＳＴ４０５に進める。
そして、コントローラ１０は、タッチスクリーンディスプレイ２１０及びタッチスクリーンディスプレイ２２０のいずれでもフリックを検知しない場合（ステップＳＴ４０３、Ｃ）、処理をステップＳＴ４０３の前に戻す。
【０１３５】
続けて、ステップＳＴ４０４において、コントローラ１０は、タッチスクリーンディスプレイ２にロック機能のアイコン３０に関連づけられた第１画面５０Ａを表示させる（図２３参照）。第１画面５０Ａは、上述の通り、数字又は文字のブロックが、縦４ブロック×横３ブロックで配置されたロック解除の画面である。
【０１３６】
また、ステップＳＴ４０５において、コントローラ１０は、タッチスクリーンディスプレイ２３０にロック機能のアイコン３０に関連づけられた第２画面５０Ｂを表示させる（図２５参照）。第２画面５０Ｂは、数字又は文字のブロックが横に一列に並んだロック解除の画面である。
そして、コントローラ１０は、処理を終了する。
【０１３７】
続けて、図２６により、ロック機能によりロックされた状態においてユーザが所定のジェスチャをした場合におけるスマートフォン１の他の態様の動作について説明する。
図２６は、スマートフォンにおける動作を説明するフロー図である。
【０１３８】
図２６に示すように、まず、ステップＳＴ５０１において、スマートフォン１は、ロック機能によりロックされた状態である。
【０１３９】
ステップＳＴ５０２において、コントローラ１０は、タッチスクリーンディスプレイ２１０及びタッチスクリーンディスプレイ２２０にロック機能のアイコン３０を表示させる（図２２及び図２４参照）。
具体的には、コントローラ１０は、第１透明表示部２００Ａにロック機能のアイコン３０を表示させる。
これに対して、ユーザは、フロントフェイス１Ａ側のタッチスクリーンディスプレイ２１０、又は、バックフェイス１Ｂ側のタッチスクリーンディスプレイ２２０において、ロック機能のアイコン３０上に指を置き、矢印に沿って指を動かす。
【０１４０】
続けて、ステップＳＴ５０３において、コントローラ１０は、タッチスクリーンディスプレイ２１０又はタッチスクリーンディスプレイ２２０によりロック機能のアイコン３０に対するフリックを検知した場合（ステップＳＴ５０３、ＹＥＳ）、処理をステップＳＴ５０４に進める。
また、コントローラ１０は、タッチスクリーンディスプレイ２１０及びタッチスクリーンディスプレイ２２０のいずれでもフリックを検知しない場合（ステップＳＴ５０３、ＮＯ）、処理をステップＳＴ５０３の前に戻す。
【０１４１】
続けて、ステップＳＴ５０４において、コントローラ１０は、加速度センサ１５、方位センサ１６及び回転検出センサ１７からの検出結果に基づいて、タッチスクリーンディスプレイ２又はタッチスクリーンディスプレイ２３０のいずれが垂直方向上側に位置しているか判定する。
コントローラ１０は、タッチスクリーンディスプレイ２が垂直方向上側に位置していると判定した場合（ステップＳＴ５０４、Ａ）、処理をステップＳＴ５０５に進める。
また、コントローラ１０は、タッチスクリーンディスプレイ２３０が垂直方向上側に位置していると判定した場合（ステップＳＴ５０４、Ｂ）、処理をステップＳＴ５０６に進める。
【０１４２】
続けて、ステップＳＴ５０５において、コントローラ１０は、タッチスクリーンディスプレイ２にロック機能のアイコン３０に関連づけられた第１画面５０Ａを表示させる（図２３参照）。第１画面５０Ａは、上述の通り、数字又は文字のブロックが、縦４ブロック×横３ブロックで配置されたロック解除の画面である。
【０１４３】
また、ステップＳＴ５０６において、コントローラ１０は、タッチスクリーンディスプレイ２３０にロック機能のアイコン３０に関連づけられた第２画面５０Ｂを表示させる（図２５参照）。第２画面５０Ｂは、上述の通り、数字又は文字のブロックが横に一列に並んだロック解除の画面である。
そして、コントローラ１０は、処理を終了する。
【０１４４】
本実施形態によれば、筐体の両面に配置されたタッチスクリーンディスプレイと、他の表示部とを備えた装置を提供することができる。
【０１４５】
また、本実施形態によれば、スマートフォン１は、フロントフェイス１Ａ及び、第１方向Ｚにおいてフロントフェイス１Ａに重なるように配置されるバックフェイス１Ｂを有するハウジング２０と、フロントフェイス１Ａ側を向いて配置され１又は複数のアイコンを表示可能である表示領域２１０Ａを有すると共に、表示領域２１０Ａに表示された１又は複数のアイコンに対するジェスチャを検知可能なタッチスクリーンディスプレイ２１０と、フロントフェイス１Ａ側を向いて配置され表示領域２１０Ａとは異なるディスプレイ２Ａを有するタッチスクリーンディスプレイ２と、バックフェイス１Ｂ側を向いて配置され１又は複数のアイコンを表示可能である表示領域２２０Ａを有すると共に、表示領域２２０Ａに表示された１又は複数のアイコンに対するジェスチャを検知可能なタッチスクリーンディスプレイ２２０と、タッチスクリーンディスプレイ２１０又はタッチスクリーンディスプレイ２２０により所定のアイコンに対する所定のジェスチャが検知された場合、所定のアイコンに関連づけられた画面をタッチスクリーンディスプレイ２におけるディスプレイ２Ａに表示させるコントローラ１０と、を備える。
【０１４６】
これにより、スマートフォン１は、フロントフェイス１Ａ側のタッチスクリーンディスプレイ２１０が所定のアイコンに対するジェスチャを検知すると、所定のアイコンに関連づけられた第１画面をタッチスクリーンディスプレイ２におけるディスプレイ２Ａに表示させる。
また、これにより、スマートフォン１は、バックフェイス１Ｂ側のタッチスクリーンディスプレイ２２０が所定のアイコンに対するジェスチャを検知すると、所定のアイコンに関連づけられた第１画面をタッチスクリーンディスプレイ２におけるディスプレイ２Ａに表示させる。
また、これにより、スマートフォン１は、フロントフェイス１Ａ又はバックフェイス１Ｂのいずれ側のタッチスクリーンディスプレイに対するジェスチャを検知しても、フロントフェイス１Ａ側のタッチスクリーンディスプレイ２にアイコンに関連付けられた画面を表示させることができる。
これにより、スマートフォン１は、ユーザにおける使用性が向上される。
【０１４７】
スマートフォン１は、フロントフェイス１Ａ及び、第１方向Ｚにおいてフロントフェイス１Ａと重なるように配置されるバックフェイス１Ｂを有するハウジング２０と、フロントフェイス１Ａ側を向いて配置され１又は複数のアイコンを表示可能である表示領域２１０Ａを有すると共に、１表示領域２１０Ａに表示された１又は複数のアイコンに対するジェスチャを検知可能なタッチスクリーンディスプレイ２１０と、フロントフェイス１Ａ側を向いて配置され表示領域２１０Ａとは異なるディスプレイ２Ａを有するタッチスクリーンディスプレイ２と、バックフェイス１Ｂ側を向いて配置され１又は複数のアイコンを表示可能である表示領域２２０Ａを有すると共に、表示領域２２０Ａに表示された１又は複数のアイコンに対するジェスチャを検知可能なタッチスクリーンディスプレイ２２０と、バックフェイス１Ｂ側を向いて配置され表示領域２２０Ａとは異なる表示領域２３０Ａを有するタッチスクリーンディスプレイ２３０と、タッチスクリーンディスプレイ２２０により所定のアイコンに対する所定のジェスチャが検知された場合、所定のアイコンに関連づけられた画面をタッチスクリーンディスプレイ２３０における表示領域２３０Ａに表示させるコントローラ１０と、を備える。
【０１４８】
これにより、スマートフォン１は、バックフェイス１Ｂ側のタッチスクリーンディスプレイ２２０が所定のアイコンに対するジェスチャを検知すると、所定のアイコンに関連づけられた第１画面をバックフェイス１Ｂ側のタッチスクリーンディスプレイ２３０における表示領域２３０Ａに表示させる。
また、これより、スマートフォン１は、バックフェイス１Ｂ側のタッチスクリーンディスプレイに対するジェスチャを検知すると、バックフェイス１Ｂ側のタッチスクリーンディスプレイ２３０における表示領域２３０Ａに、アイコンに関連づけられた画面を表示させることができる。
これにより、スマートフォン１は、ユーザにおける使用性が向上される。
【０１４９】
また、本実施形態によれば、スマートフォン１において、コントローラ１０は、タッチスクリーンディスプレイ２１０により所定のアイコンに対する所定のジェスチャが検知された場合、所定のアイコンに関連づけられた画面をタッチスクリーンディスプレイ２におけるディスプレイ２Ａに表示させる。
【０１５０】
これにより、スマートフォン１は、フロントフェイス１Ａ側のタッチスクリーンディスプレイ２１０が所定のアイコンに対するジェスチャを検知すると、所定のアイコンに関連づけられた第１画面をフロントフェイス１Ａ側のタッチスクリーンディスプレイ２におけるディスプレイ２Ａに表示させる。
また、これより、スマートフォン１は、フロントフェイス１Ａ側のタッチスクリーンディスプレイに対するジェスチャを検知すると、フロントフェイス１Ａ側のタッチスクリーンディスプレイ２におけるディスプレイ２Ａに、アイコンに関連づけられた画面を表示させることができる。
これにより、スマートフォン１は、ユーザにおける使用性が向上される。
【０１５１】
また、本実施形態よれば、スマートフォン１において、コントローラ１０は、タッチスクリーンディスプレイ２におけるディスプレイ２Ａには、所定のアイコンに関連づけられた画面のうち第１画面を表示させ、タッチスクリーンディスプレイ２３０における表示領域２３０Ａには、所定のアイコンに関連づけられた画面のうち第１画面とは異なる第２画面を表示させる。
【０１５２】
これにより、スマートフォン１は、表示領域の狭い表示領域２３０Ａに、狭い表示領域に対応するよう第１画面から変形された第２画面を表示させる。これにより、スマートフォン１は、表示領域の広さに応じて内容の認識性を維持ながら変形した画面を表示させることが可能に構成される。これにより、スマートフォン１は、ユーザにおける使用性が向上される。
また、これにより、スマートフォン１は、表示領域の広いディスプレイ２Ａには、第２画面よりも複雑で大きな画面である第１画面を表示させる。これにより、スマートフォン１は、表示領域の広さに応じて内容の認識性を維持ながら変形した画面を表示させることが可能に構成される。これにより、スマートフォン１は、ユーザにおける使用性が向上される。
【０１５３】
スマートフォン１は、フロントフェイス１Ａ及び、第１方向Ｚにおいてフロントフェイス１Ａと重なるように対向して配置されるバックフェイス１Ｂを有するハウジング２０と、フロントフェイス１Ａ側を向いて配置され１又は複数のアイコンを表示可能である表示領域２１０Ａを有すると共に、１表示領域２１０Ａに表示された１又は複数のアイコンに対するジェスチャを検知可能なタッチスクリーンディスプレイ２１０と、フロントフェイス１Ａ側を向いて配置され表示領域２１０Ａとは異なるディスプレイ２Ａを有するタッチスクリーンディスプレイ２と、バックフェイス１Ｂ側を向いて配置され１又は複数のアイコンを表示可能である表示領域２２０Ａを有すると共に、表示領域２２０Ａに表示された１又は複数のアイコンに対するジェスチャを検知可能なタッチスクリーンディスプレイ２２０と、バックフェイス１Ｂ側を向いて配置され表示領域２２０Ａとは異なる表示領域２３０Ａを有するタッチスクリーンディスプレイ２３０と、タッチスクリーンディスプレイ２又はタッチスクリーンディスプレイ２３０のいずれが垂直方向上側に位置しているかを検出するための検出部と、検出部における検出結果に基づいて、タッチスクリーンディスプレイ２又はタッチスクリーンディスプレイ２３０のいずれが垂直方向上側に位置しているかを検出すると共に、タッチスクリーンディスプレイ２１０又はタッチスクリーンディスプレイ２２０により所定のアイコンに対する所定のジェスチャが検知された場合、所定のアイコンに関連づけられた画面を、垂直方向上側に配置されていると検出したタッチスクリーンディスプレイ２におけるディスプレイ２Ａ又はタッチスクリーンディスプレイ２３０における表示領域２３０Ａに表示させるコントローラ１０と、を備える。
【０１５４】
これにより、スマートフォン１は、タッチスクリーンディスプレイ２１０又はタッチスクリーンディスプレイ２２０が所定のアイコンに対するジェスチャを検知すると、所定のアイコンに関連づけられた画面を、垂直方向上側のタッチスクリーンディスプレイにおける表示領域に表示させる。
また、これにより、スマートフォン１は、フロントフェイス１Ａ又はバックフェイス１Ｂのいずれ側のタッチスクリーンディスプレイに対するジェスチャを検知しても、垂直方向側のタッチスクリーンディスプレイにアイコンに関連付けられた画面を表示させることができる。
これにより、スマートフォン１は、ユーザにおける使用性が向上される。
【０１５５】
また、本実施形態よれば、スマートフォン１において、コントローラ１０は、タッチスクリーンディスプレイ２におけるディスプレイ２Ａには、所定のアイコンに関連づけられた画面のうち第１画面を表示させ、タッチスクリーンディスプレイ２３０における表示領域２３０Ａには、所定のアイコンに関連づけられた画面のうち第１画面とは異なる第２画面を表示させる。
これにより、スマートフォン１は、表示領域が広いタッチスクリーンディスプレイ２が垂直方向上側に位置した場合、第１画面をタッチスクリーンディスプレイ２に表示させることができる。
また、スマートフォン１は、表示領域が狭いタッチスクリーンディスプレイ２３０が垂直方向上側に位置した場合、第２画面をタッチスクリーンディスプレイ２３０に表示させることができる。
これにより、スマートフォン１は、ユーザにおける使用性が向上される。
【０１５６】
また、本実施形態によれば、スマートフォン１は、フロントフェイス１Ａ及びバックフェイス１Ｂより視認可能に配置された透明表示部材２００と、を備える。そして、透明表示部材２００は、タッチスクリーンディスプレイ２１０を構成する表示領域２１０Ａと、タッチスクリーンディスプレイ２２０を構成する表示領域２２０Ａと、を形成する。
更には、透明表示部材２００は、タッチスクリーンディスプレイ２３０を構成する表示領域２３０Ａを形成する。
【０１５７】
これにより、スマートフォン１は、透明表示部材２００を用いることで、簡易に両面にタッチスクリーンディスプレイを備えることができる。
また、これにより、スマートフォン１は、簡易な構造になる。また、スマートフォン１は、部品数を削減可能に構成される。また、スマートフォン１は、コストを削減可能に構成される。
【０１５８】
また、本実施形態によれば、スマートフォン１は、メイン表示用領域２０ａ及び、第１透明領域２０ｂを有するフロントフェイス１Ａと、第１方向Ｚにおいてフロントフェイス１Ａと対向するバックフェイス１Ｂであって、第１方向Ｚにおいて第１透明領域２０ｂと重なるように配置される第２透明領域２０ｃ及び、第１方向Ｚにおいて第１透明領域２０ｂと重ならない第３透明領域２０ｄを有するバックフェイス１Ｂと、を有するハウジング２０と、ハウジング２０に収容され、メイン表示用領域２０ａに対応して配置されるディスプレイ２Ａ及び、ディスプレイ２Ａと反対側に配置される遮光部材２Ｃを有するタッチスクリーンディスプレイ２と、タッチスクリーンディスプレイ２におけるバックフェイス１Ｂ側に配置される透明表示部材２００であって、第１方向Ｚにおいて、第１透明領域２０ｂと、第２透明領域２０ｃとの間に配置される第１透明表示部２００Ａ及び、第１方向Ｚにおいて、遮光部材２Ｃの全部又は一部と第３透明領域２０ｄとの間に配置される第２透明表示部２００Ｂを有する透明表示部材２００と、を備える。
これにより、スマートフォン１は、フロントフェイス１Ａ側及びバックフェイス１Ｂ側から表示対象が視認可能な第１透明表示部を有する。
また、これにより、スマートフォン１は、バックフェイス１Ｂ側から表示対象（内容）が視認可能な第２透明表示部２００Ｂを有する。
【０１５９】
また、本実施形態によれば、透明表示部材２００は、フロントフェイス１Ａ側において、第１透明表示部２００Ａが視認可能であり、バックフェイス１Ｂ側において、第１透明表示部２００Ａと、第２透明表示部２００Ｂとが視認可能である。
これにより、スマートフォン１は、フロントフェイス１Ａ側において第１透明表示部２００Ａが視認可能であり、バックフェイス１Ｂ側において第１透明表示部２００Ａ及び第２透明表示部２００Ｂが視認可能に構成される。
また、これにより、スマートフォン１は、一の透明表示部材２００により、フロントフェイス１Ａ側とバックフェイス１Ｂ側とで表示領域が異なるよう構成される。
【０１６０】
また、本実施形態によれば、遮光部材２Ｃは、第１方向Ｚにおいて、第２透明表示部２００Ｂと重なる領域であって所定の色である背面領域３０２を有する。
これにより、スマートフォン１は、第２透明表示部２００Ｂにおける表示対象の視認性が向上される。スマートフォン１は、表示領域２３０Ａにおける表示対象の視認性が向上される。
【０１６１】
また、本実施形態によれば、第２透明表示部２００Ｂは、背面領域３０２における色の反対色、反対色の類似色及びこれらの同系色のいずれかで表示対象を表示する。
これにより、スマートフォン１は、第２透明表示部２００Ｂにおける表示対象の視認性がより向上される。これにより、スマートフォン１は、第２透明表示部２００Ｂに高精細な表示対象を表示させることができる。スマートフォン１は、表示領域２３０Ａにおける表示対象の視認性がより向上される。
【０１６２】
また、本実施形態によれば、遮光部材２Ｃにおける背面領域３０２は、黒色に着色されており、第２透明表示部２００Ｂは、表示対象を白色で表示させる。
これにより、スマートフォン１は、第２透明表示部２００Ｂにおける表示対象の視認性がより向上される。スマートフォン１は、表示領域２３０Ａにおける表示対象の視認性がより向上される。
また、スマートフォン１は、大きな負担無く、第２透明表示部２００Ｂにおける表示対象の視認性が向上される。スマートフォン１は、大きな負担無く、表示領域２３０Ａにおける表示対象の視認性が向上される。
【０１６３】
また、本実施形態によれば、スマートフォン１は、第１方向Ｚにおいて、タッチスクリーンディスプレイ２における遮光部材２Ｃ側にタッチスクリーンディスプレイ２と重なるように配置されると共に、第１方向Ｚに交差する第２方向Ｙにおいて、透明表示部材２００と並んで配置される回路基板１００と、を備える。これにより、スマートフォン１は、省スペース化される。
【０１６４】
なお、本実施形態においてストレージ９が記憶することとしたプログラムの一部又は全部は、通信ユニット６による無線通信で他の装置からダウンロードされてもよい。
また、本実施形態においてストレージ９が記憶することとしたプログラムの一部又は全部は、ストレージ９に含まれる読み取り装置が読み取り可能な記憶媒体に記憶されていてもよい。
また、本実施形態においてストレージ９が記憶することとしたプログラムの一部又は全部は、外部インターフェイス（不図示）に接続される読み取り装置が読み取り可能なＣＤ、ＤＶＤ、又はＢｌｕ−ｒａｙ等の記憶媒体に記憶されていてもよい。
【０１６５】
また、本実施形態において示したスマートフォン１の構成は一例であり、本発明の要旨を損なわない範囲において適宜変更してよい。例えば、スマートフォン１は、操作用のボタンを有して構成されていてもよい。例えば、スマートフォン１は、画面に関する操作のためのボタンとして、テンキー配列又はＱＷＥＲＴＹ配列等のボタンを備えていてもよい。
また、本実施形態において、スマートフォン１が２つのカメラを備えることとしたが、スマートフォン１は、１つのカメラのみを備えてもよいし、カメラを備えなくてもよい。
また、本実施形態において、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。また、照度センサ４と近接センサ５は、別体ではなく、単一のセンサにより構成されてもよい。
【０１６６】
本発明を完全かつ明瞭に開示するために特徴的な実施形態に関し記載してきた。しかし、添付の請求項に係る発明は、上記実施形態に限定されるべきものでなく、本明細書に示した基礎的事項の範囲内で当該技術分野の当業者が創作しうるすべての変形例及び代替可能な構成を具現化するように構成されるべきである。
【０１６７】
また、本実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【０１６８】
また、本実施形態において、遮光部材がメイン表示部材の一部を構成している場合について説明したが、本発明の装置は、これに限定されない。
例えば、装置は、メイン表示用領域及び第１透明領域を有する第１面と、第１方向において前記第１面と重なるように配置される第２面であって、前記第１方向において前記第１透明領域と重なる第２透明領域及び、前記第１方向において前記第１透明領域と重ならない第３透明領域を有する第２面と、を有するケース部材と、ケース部材に収容される遮光部材と、前記第１方向において前記第１透明領域と前記第２透明領域との間に配置される第１透明表示部及び、前記第１方向において前記遮光部材の全部又は一部と前記第３透明領域との間に配置される第２透明表示部を有する透明表示部材と、を備えるものであってもよい。
また、遮光部材は、単独で配置されていてもよく、回路基板、フレキシブルプリント基板、キー基板の一部を構成するものであってもよい。
【符号の説明】
【０１６９】
１      スマートフォン
１Ａ    フロントフェイス
１Ｂ    バックフェイス
２      タッチスクリーンディスプレイ
２Ａ    ディスプレイ
２Ｂ    タッチスクリーン
２Ｃ    遮光部材
４      照度センサ
５      近接センサ
６      通信ユニット
７      レシーバ
８      マイク
９      ストレージ
９Ａ    制御プログラム
９Ｂ    メールアプリケーション
９Ｃ    ブラウザアプリケーション
９Ｄ    テーブル
９Ｅ    配置パターンデータベース
９Ｚ    設定データ
１０      コントローラ
１２、１３  カメラ
１５      加速度センサ
１６      方位センサ
１７      回転検出センサ
２０      ハウジング
２０ａ    メイン表示用領域
２０ｂ    第１透明領域
２０ｃ    第２透明領域
２０ｄ    第３透明領域
２００    透明表示部材
２００Ａ  第１透明表示部
２００Ｂ  第２透明表示部
２１０    タッチスクリーンディスプレイ
２１０Ａ  表示領域
２２０    タッチスクリーンディスプレイ
２２０Ａ  表示領域
２３０    タッチスクリーンディスプレイ
２３０Ａ  表示領域
３０２    背面領域
Ｙ      第２方向
Ｚ      第１方向
【図１】
2014010487.tif 000003
【図２】
2014010487.tif 000004
【図３】
2014010487.tif 000005
【図４】
2014010487.tif 000006
【図５】
2014010487.tif 000007
【図６】
2014010487.tif 000008
【図７】
2014010487.tif 000009
【図８】
2014010487.tif 000010
【図９】
2014010487.tif 000011
【図１０】
2014010487.tif 000012
【図１１】
2014010487.tif 000013
【図１２】
2014010487.tif 000014
【図１３】
2014010487.tif 000015
【図１４】
2014010487.tif 000016
【図１５】
2014010487.tif 000017
【図１６】
2014010487.tif 000018
【図１７】
2014010487.tif 000019
【図１８】
2014010487.tif 000020
【図１９】
2014010487.tif 000021
【図２０】
2014010487.tif 000022
【図２１】
2014010487.tif 000023
【図２２】
2014010487.tif 000024
【図２３】
2014010487.tif 000025
【図２４】
2014010487.tif 000026
【図２５】
2014010487.tif 000027
【図２６】
2014010487.tif 000028